(57)【要約】      （修正有）【課題】個人別に一日に数回以上オーディオ出力装置を利用することにあたって、デジタルデバイスにオーディオ出力装置が接続されてスタンバイされる遊休時間を利用して、集中度の高いデジタル広告を露出するためのシステム及びその方法を提供する。【解決手段】デジタルデバイス１１０でのオーディオ出力装置１０１の接続信号を利用した広告システムは、オーディオ出力装置が接続される接続部、オーディオ出力装置が接続部に接続されることによって発生する接続信号を感知する接続信号受信部、及び接続信号受信部によって接続信号が感知されれば広告を出力する広告出力部を含む。【選択図】図１
2016021051.tif 000002
【特許請求の範囲】
【請求項１】
オーディオ出力装置が接続される接続部、
上記オーディオ出力装置が上記接続部に接続されることによって発生する接続信号を感知する接続信号受信部、及び
上記接続信号受信部によって上記接続信号が感知されれば、広告を出力する広告出力部
を含むことを特徴とするデジタルデバイスでのオーディオ出力装置の接続信号を利用した広告システム。
【請求項２】
上記接続信号受信部によって感知された上記接続信号を受信して、露出する広告の広告露出条件による結果値を転送する広告制御部、
上記広告制御部から上記結果値を受信して上記広告出力部に上記結果値による広告出力命令を転送する広告露出制御部、及び
複数の広告物を保存する広告物保存部
をさらに含み、
上記広告出力部は、
上記広告露出制御部から上記広告出力命令を受信して、上記広告物保存部に保存されている上記露出する広告に該当する広告物を上記広告露出条件に応じて出力することを特徴とする請求項１に記載のデジタルデバイスでのオーディオ出力装置の接続信号を利用した広告システム。
【請求項３】
上記広告制御部は、
上記接続信号が感知された時点から上記広告の露出が始まる時点までの時間を変更できるように、上記広告の露出を制御することを特徴とする請求項２に記載のデジタルデバイスでのオーディオ出力装置の接続信号を利用した広告システム。
【請求項４】
上記広告制御部は、
上記接続信号を感知した時、上記広告が連続で露出される件数を示す広告連続露出件数を変更できるように、上記広告の露出を制御することを特徴とする請求項２に記載のデジタルデバイスでのオーディオ出力装置の接続信号を利用した広告システム。
【請求項５】
上記広告制御部は、
上記広告が出力された後に上記オーディオ出力装置の接続が切断され、一定時間が経過した後に再連結されて上記接続信号が感知された場合、上記広告の出力が終了した時点から上記広告の再出力が始まる時点までの時間と定義される広告連続出力時間を変更できるように、上記広告の露出を制御することを特徴とする請求項２に記載のデジタルデバイスでのオーディオ出力装置の接続信号を利用した広告システム。
【請求項６】
上記広告制御部は、
上記接続信号を感知した時、上記オーディオ出力装置の接続回数または予め設定された広告露出回数を基準にして上記広告の最大出力回数を制限するが、上記最大出力回数を変更できるように上記広告の露出を制御することを特徴とする請求項２に記載のデジタルデバイスでのオーディオ出力装置の接続信号を利用した広告システム。
【請求項７】
上記広告制御部は、
上記接続信号を感知した時、上記デジタルデバイスでオーディオまたはビデオに関する特定プログラムが既に実行されている場合、上記広告が露出されないように上記広告の露出を制御することを特徴とする請求項２に記載のデジタルデバイスでのオーディオ出力装置の接続信号を利用した広告システム。
【請求項８】
上記広告物保存部が上記デジタルデバイスに含まれている場合、
上記広告物保存部は、
上記デジタルデバイスの遊休時間に広告サーバーとの無線通信を通じて上記広告サーバーから広告物をダウンロードして保存し、
上記広告物保存部と上記広告制御部が上記広告サーバーに含まれている場合、
上記広告出力部は、
上記広告制御部を通じた上記広告サーバーと上記広告露出制御部との連動を通じて、上記広告サーバーの広告物保存部に保存されている広告物を直接呼出し、リアルタイムでダウンロードして広告を出力することを特徴とする請求項２に記載のデジタルデバイスでのオーディオ出力装置の接続信号を利用した広告システム。
【請求項９】
上記広告出力部は、
上記広告サーバーから上記広告物をダウンロードする時、ユーザーの登録キャリア、利用端末、インストールされたアプリのリスト、生年月日、性別の中から少なくとも一つを含む個人情報に基づいて、上記広告物のターゲティング情報を変更することを特徴とする請求項８に記載のデジタルデバイスでのオーディオ出力装置の接続信号を利用した広告システム。
【請求項１０】
上記広告出力部により出力された広告に関するレポート情報を生成する広告レポート部、及び
上記広告レポート部によって生成された上記レポート情報を保存する広告レポート保存部
をさらに含むことを特徴とする請求項１に記載のデジタルデバイスでのオーディオ出力装置の接続信号を利用した広告システム。
【請求項１１】
上記広告レポート部によって生成されたレポート情報に基づいて上記広告のプレイ時間に応じて課金するが、上記広告の全体プレイ時間が予め設定された基準時間未満であれば、上記広告の全体がプレイされた場合にのみ課金し、上記広告の全体プレイ時間が上記基準時間以上であれば、上記広告が予め設定された基準時間以上プレイされた場合にのみ課金する課金処理部
をさらに含むことを特徴とする請求項１０に記載のデジタルデバイスでのオーディオ出力装置の接続信号を利用した広告システム。
【請求項１２】
上記広告レポート部によって生成されたレポート情報に基づいて、上記広告に関する広告ページ内の広告物リンク領域が選択されて、当該リンク広告が実行された時点に課金する課金処理部
をさらに含むことを特徴とする請求項１０に記載のデジタルデバイスでのオーディオ出力装置の接続信号を利用した広告システム。
【請求項１３】
上記接続信号は、
上記オーディオ出力装置が上記デジタルデバイスに搭載されている上記接続部に物理的または論理的連結を完了した状態で、上記デジタルデバイスに組み込まれているオーディオ装置認識モジュールに接続されてオーディオコンテンツを出力できるようにスタンバイ（ｓｔａｎｄｂｙ）されている状態を表す電子的連結によって発生することを特徴とする請求項１に記載のデジタルデバイスでのオーディオ出力装置の接続信号を利用した広告システム。
【発明の詳細な説明】
【技術分野】
【０００１】
本発明は、スマートフォン、コンピュータ、タブレットＰＣ、ＭＰ３プレーヤーなどのデジタルデバイスにイヤホン、ヘッドホン、スピーカーなどのオーディオ出力装置を利用するために接続する時の電子信号（接続信号）を利用して、オーディオ、動画、画像、テキスト、メッセージなどの広告をデジタルデバイスに露出する広告システム及びその方法に関するものである。
【背景技術】
【０００２】
最近、デジタルデバイスの利用が普遍化されており、移動中、余暇中、勤務中にオーディオ出力装置を利用した電話、オーディオ、ビデオのコンテンツを利用する場合が多い。特に、通勤移動中にスマートフォンにイヤホンを接続して電話をするか、音楽を聴くか、テレビを見ることは非常に頻繁に行われている。ユーザーは、コンテンツを利用するためにデジタルデバイスにオーディオ出力装置を接続することになるが、接続前、または接続後に希望するデジタルデバイスに保存されているコンテンツを実行する時までの経路を尋ねていくための時間や作動前の遊休時間が存在する。その時間を利用してオーディオ広告をすることができ、デジタルデバイスのディスプレイのタイプにしたがって動画、画像、テキスト、ＵＲＬ広告も可能である。
【０００３】
例えば、地下鉄で通勤するユーザーがスマートフォンで音楽を聴くためには、スマートフォンにイヤホンを差し込んで耳につけた後、スマートフォンの画面を利用して音楽関連アプリケーションを検索して実行した後、音楽ファイルを選択して音楽を聴くこととなる。この場合、ユーザーは、スマートフォンにイヤホンを差し込んで音楽ファイルを検索して最初に実行する時まで、数十秒から数分の時間がかかる。このような遊休時間を活用してオーディオ広告を自動的に露出することができる。勿論、オーディオだけでなく、ビデオ、画像、テキスト、ＵＲＬ、メッセージなど、様々なタイプのデジタル広告を露出することができる。
【０００４】
デジタルデバイスの発達により、斬新かつ多様な形態の広告が登場している。特に、スマートフォンでは、電話の受発信中の待ち受け画面広告、待ち受け画面広告、モバイルアプリバナー広告、ＳＭＳ広告、リワード広告、イベント参加型広告、アンケート調査型広告など、スマートフォンに特化した広告方法が存在している。
【０００５】
一般的に、コンピュータのインターネットや、スマートフォンのウェブブラウザとアプリケーションで使われるバナー及びポップアップ広告の問題は、ユーザーが利用するコンテンツの一部に広告バナーやポップアップバナーを露出させるため、拒否感を引き起こすということだ。ユーザーは既に希望するコンテンツを実行していた途中に広告に露出されるため、拒否感を感じる。
【０００６】
また、一般的にインターネットを通じて動画コンテンツを利用する際には、動画コンテンツを実行するために実行命令を下したが、当該コンテンツが実行される前に強制的に広告動画を見るようにする。これも既にユーザーが当該コンテンツを利用しようと決定した状態で広告に露出されるため、集中力を低下させ、拒否感を引き起こす。一例として、ユーチューブで歌手「ＰＳＹ」の「江南スタイル」というミュージックビデオを再生しようとすれば、先に広告動画を強制的に見ることとなる。この時、広告に対する拒否感を感じるようになる。
【０００７】
したがって、デジタルデバイスでのオーディオ出力装置の接続信号を利用して、ユーザーに拒否感を引き起こさずに、自動的に広告を露出するシステム及びその方法が必要である。よって、本発明の一実施例は、個人別に一日に数回以上オーディオ出力装置を利用することにあたって、デジタルデバイスにオーディオ出力装置が接続されてスタンバイされる遊休時間を利用して、集中度の高いデジタル広告を露出するためのシステム及びその方法を提供する。
【発明の開示】
【発明が解決しようとする課題】
【０００８】
本発明の一実施例は、スマートフォン、コンピュータ、タブレットＰＣ、ＭＰ３プレーヤーなどのデジタルデバイスにイヤホン、ヘッドホン、スピーカーなどのオーディオ出力装置を利用するために接続する時の電子的信号（接続信号）を利用して、ユーザーが希望するコンテンツを実行する時までの遊休時間を活用して、オーディオ、動画、画像、テキスト、ＵＲＬ、メッセージなどの広告をデジタルデバイスに露出することのできる広告システム及びその方法を提供する。
【０００９】
本発明が解決しようとする課題は上記課題に限定されず、その他の課題は以下の記載により当業者が明確に理解することができるはずだ。
【課題を解決するための手段】
【００１０】
本発明の一実施例によるデジタルデバイスでのオーディオ出力装置の接続信号を利用した広告システムは、オーディオ出力装置が接続される接続部、上記オーディオ出力装置が上記接続部に接続されることによって発生する接続信号を感知する接続信号受信部、及び上記接続信号受信部によって上記接続信号が感知されれば、広告を出力する広告出力部を含む。
【００１１】
本発明の一実施例によるデジタルデバイスでのオーディオ出力装置の接続信号を利用した広告システムは、上記接続信号受信部によって感知された上記接続信号を受信して、露出する広告の広告露出条件による結果値を転送する広告制御部、上記広告制御部から上記結果値を受信して上記広告出力部に上記結果値による広告出力命令を転送する広告露出制御部、及び複数の広告物を保存する広告物保存部をさらに含み、上記広告出力部は、上記広告露出制御部から上記広告出力命令を受信して、上記広告物保存部に保存されている上記露出する広告に該当する広告物を上記広告露出条件に応じて出力することができる。
【００１２】
上記広告制御部は、上記接続信号が感知された時点から上記広告の露出が始まる時点までの時間が変更できるように、上記広告の露出を制御することができる。
【００１３】
上記広告制御部は、上記接続信号を感知した時、上記広告が連続で露出される件数を示す広告連続露出件数を変更できるように、上記広告の露出を制御することができる。
【００１４】
上記広告制御部は、上記広告が出力された後に上記オーディオ出力装置の接続が切断され、一定時間が経過した後に再接続されて上記接続信号が感知された場合、上記広告の出力が終了した時点から上記広告の再出力が始まる時点までの時間と定義される広告連続出力時間を変更できるように、上記広告の露出を制御することができる。
【００１５】
上記広告制御部は、上記接続信号を感知した時、上記オーディオ出力装置の接続回数または予め設定された広告露出回数を基準にして上記広告の最大出力回数を制限するが、上記最大出力回数を変更できるように上記広告の露出を制御することができる。
【００１６】
上記広告制御部は、上記接続信号を感知した時、上記デジタルデバイスでオーディオまたはビデオに関する特定プログラムが既に実行されている場合、上記広告が露出されないように上記広告の露出を制御することができる。
【００１７】
上記広告物保存部が上記デジタルデバイスに含まれている場合、上記広告物保存部は、上記デジタルデバイスの遊休時間に広告サーバーとの無線通信を通じて上記広告サーバーから広告物をダウンロードして保存し、上記広告物保存部と上記広告制御部が上記広告サーバーに含まれている場合、上記広告出力部は、上記広告制御部を通じた上記広告サーバーと上記広告露出制御部との連動を通じて、上記広告サーバーの広告物保存部に保存されている広告物を直接読み取り、リアルタイムでダウンロードして広告を出力することができる。
【００１８】
上記広告出力部は、上記広告サーバーから上記広告物をダウンロードする時、ユーザーの登録キャリア、利用端末、インストールされたアプリのリスト、生年月日、性別の中から少なくとも一つを含む個人情報に基づいて、上記広告物のターゲティング情報を変更することができる。
【００１９】
本発明の一実施例によるデジタルデバイスでのオーディオ出力装置の接続信号を利用した広告システムは、上記広告出力部により出力された広告に関するレポート情報を生成する広告レポート部、及び上記広告レポート部によって生成された上記レポート情報を保存する広告レポート保存部をさらに含むことができる。
【００２０】
本発明の一実施例によるデジタルデバイスでのオーディオ出力装置の接続信号を利用した広告システムは、上記広告レポート部によって生成されたレポート情報に基づいて上記広告のプレイ時間に応じて課金するが、上記広告の全体プレイ時間が予め設定された基準時間未満であれば、上記広告の全体がプレイされた場合にのみ課金し、上記広告の全体プレイ時間が上記基準時間以上であれば、上記広告が予め設定された時間以上プレイされた場合にのみ課金する課金処理部をさらに含むことができる。
【００２１】
本発明の一実施例によるデジタルデバイスでのオーディオ出力装置の接続信号を利用した広告システムは、上記広告レポート部によって生成されたレポート情報に基づいて、上記広告に関する広告ページ内の広告物リンク領域が選択されて、当該リンク広告が実行された時点に課金する課金処理部をされに含むことができる。
【００２２】
上記接続信号は、上記オーディオ出力装置が上記デジタルデバイスに搭載されている上記接続部に物理的または論理的接続を完了した状態で、上記デジタルデバイスに組み込まれているオーディオ装置認識モジュールと接続されてオーディオコンテンツを出力することができるようにスタンバイ（ｓｔａｎｄｂｙ）されている状態を表す電子的接続によって発生することができる。
【００２３】
その他の実施例の具体的な事項は、詳細な説明及び添付図面に含まれている。
【発明の効果】
【００２４】
本発明の一実施例によれば、スマートフォン、コンピュータ、タブレットＰＣ、ＭＰ３プレーヤーなどのデジタルデバイスにイヤホン、ヘッドホン、スピーカーなどのオーディオ出力装置を利用するために接続する電子的信号（接続信号）を利用して、ユーザーが希望するコンテンツを実行する時までの遊休時間を活用して、オーディオ、動画、画像、テキスト、ＵＲＬ、メッセージなどの広告をデジタルデバイスに露出することができる。
【図面の簡単な説明】
【００２５】
【図１】本発明の一実施例によるデジタルデバイスでのオーディオ出力装置の接続信号を利用した広告システムのネットワーク構成を図示した図面である。
【図２】本発明の一実施例によるデジタルデバイスでのオーディオ出力装置の接続信号を利用した広告システムの詳細な構成を図示したブロック図である。
【図３】本発明の他の実施例によるデジタルデバイスでのオーディオ出力装置の接続信号を利用した広告システムの詳細な構成を図示したブロック図である。
【図４】発明の他の実施例によるデジタルデバイスでのオーディオ出力装置の接続信号を利用した広告方法を説明するために図示したフローチャートである。
【発明を実施するための形態】
【００２６】
本発明の利点及び／または特徴、そしてそれを達成する方法は、添付されている図面と詳細に後述される実施例を参照すれば明確になるはずだ。しかし本発明は、以下に開示される実施例に限られず、互いに異なる多様な形で具現されるもので、本実施例は単に本発明の開示を完全にして、本発明が属する技術分野において通常の知識を有する者に発明の範疇を完全に知らせるために提供されるものであり、本発明は請求項の範疇によって定義されるだけである。明細書全体にわたって同じ参照符号は同じ構成要素を指す。
【００２７】
本発明の一実施例では、個人別に一日に数回以上オーディオ出力装置を利用するにあたって、デジタルデバイスにオーディオ出力装置が接続されてスタンバイされる遊休時間を利用して、集中度の高いデジタル広告を露出するためのシステム及びその方法を提供する。
【００２８】
上記オーディオ出力装置の接続信号を活用した広告は、ユーザーが当該コンテンツを利用しようと決定した状態で広告に露出されることによって発生する拒否感を誘発しない。上記デジタルデバイスに上記オーディオ出力装置を接続するか駆動する信号が確認されれば、決められた時間内にオーディオ、動画、テキスト広告が自動的に実行される。通常、上記オーディオ出力装置を利用しようとする時、上記オーディオ出力装置を上記デジタルデバイスに接続して希望するコンテンツを実行するためには、数十秒から数分の準備時間及び遊休時間が発生する。
【００２９】
この遊休時間は、ユーザーがコンテンツの実行を決定する過程で発生する。つまり、従来のモバイル、インターネット広告は、ユーザーがコンテンツの実行を決定して実際に実行した後に広告が出てくるので拒否感を感じることになるが、本発明はどのコンテンツを実行するかを決定する前に広告が露出されるため、広告に対する拒否感を最小化することができる。
【００３０】
よって、広告に対する集中度が高く、当該広告を確認した直後に当該広告の詳細を確認するための後続行為を引き起こすことができる。これが可能なのは、ユーザーがまだどのコンテンツを利用するかを完全に決めていない状態だからである。
【００３１】
以下では、添付された図面を参照しながら本発明の実施例を詳細に説明する。
【００３２】
図１は、本発明の一実施例によるデジタルデバイスでのオーディオ出力装置の接続信号を利用した広告システムのネットワーク構成を図示した図面で、図２は、本発明の一実施例によるデジタルデバイスでのオーディオ出力装置の接続信号を利用した広告システムの詳細な構成を図示したブロック図である。特に、図２は、上記デジタルデバイスに広告保存部が含まれている場合、つまりデータ通信を利用しない場合に対する実施例を図示した図面である。
【００３３】
図１及び図２を参照すると、本発明の一実施例によるデジタルデバイスでのオーディオ出力装置の接続信号を利用した広告システム１００は、デジタルデバイス１１０及び広告サーバー１２０を含む。
【００３４】
上記デジタルデバイス１１０は、接続部２１０、接続信号受信部２２０、広告制御部２３０、広告露出制御部２４０、広告物保存部２５０、広告出力部２６０、広告レポート部２７０、及び課金処理部２８０を含むことができる。上記デジタルデバイス１１０は、スマートフォン、フィーチャーフォン、コンピュータ、タブレットＰＣ、ＭＰ３プレーヤーなどのようにオーディオ出力装置１０１を接続可能な装置を含むことができる。
【００３５】
上記接続部２１０は、上記オーディオ出力装置１０１が接続される部分であり、上記オーディオ出力装置１０１のジャックを接続する物理的装置を意味する。つまり、上記接続部２１０は、コンピュータ、スマートフォンなどに、スピーカー、イヤホン、ヘッドホンジャックなどを接続するコネクタを意味する。
【００３６】
また、上記接続部２１０は、上記オーディオ出力装置１０１とブルートゥース（Ｂｌｕｅｔｏｏｔｈ（登録商標））などのような無線通信で接続される装置である可能性もある。
【００３７】
ここで、上記オーディオ出力装置１０１は、イヤホン、ヘッドホン、スピーカーなどのようにオーディオ信号を出力できる装置を含むことができる。
【００３８】
上記接続信号受信部２２０は、上記オーディオ出力装置１０１が上記接続部２１０に接続されたことによって発生する接続信号を感知する。つまり、上記接続信号受信部２２０は、上記デジタルデバイス１１０に上記オーディオ出力装置１０１が物理的、電子的に接続されれば、上記デジタルデバイス１１０が上記オーディオ出力装置１０１に接続されたとの電気信号である接続信号を感知することができる。上記接続信号受信部２２０は、上記感知された接続信号を上記広告制御部２３０に転送することができる。
【００３９】
ここで、上記物理的接続とは、物理的に上記オーディオ出力装置１０１のジャックを上記デジタルデバイス１１０の接続部２１０に差し込む  接続を意味する。また、電子的接続とは、上記物理的接続が完了した状態で、上記デジタルデバイス１１０に組み込まれているオーディオ装置認識モジュールと接続されてオーディオコンテンツを出力できるようにスタンバイ（ｓｔａｎｄｂｙ）されている状態を意味する。
【００４０】
例えば、スマートフォンに接続されるイヤホンは、ほとんど独自の電源供給装置を持たない。この場合は、イヤホンを物理的に接続すれば自動的に電子的接続が行われる。しかしコンピュータと接続する別途電源を使うスピーカーの場合は、コンピュータと物理的に接続されても、電子的接続が自動的に行われない。スピーカーの電源を供給した時に電子的接続が完了する。
【００４１】
よって、本発明の一実施例で、上記接続信号は上記物理的接続よりも上記電子的接続が完了する時点で発生することが望ましく、上記発生した接続信号が感知されれば、上記接続信号受信部２２０は、その接続信号を上記広告制御部２３０に転送して広告制御が行われるようにすることができる。
【００４２】
他の実施例として、上記接続信号受信部２２０は、上記デジタルデバイス１１０に上記オーディオ出力装置１０１が無線通信を通じて論理的、電子的に接続されれば、上記デジタルデバイス１１０が上記オーディオ出力装置１０１に接続されたとの電子信号である接続信号を感知することができる。上記接続信号受信部２２０は、上記感知された接続信号を上記広告制御部２３０に転送することができる。
【００４３】
上記広告制御部２３０は、上記接続信号受信部２２０によって感知された上記接続信号を受信して、露出する広告の広告露出条件による結果値を上記広告露出制御部２４０に転送することができる。
【００４４】
ここで、上記広告露出の条件は、広告主、広告時間、広告形態、広告露出回数、広告露出優先順位、広告ターゲットなどの情報を含むことができる。上記広告制御部２３０は、このような広告露出条件を考慮して上記露出する広告の広告露出条件による結果値を生成（または確認／修正）して、上記広告露出制御部２４０に転送することができる。
【００４５】
一方、上記広告制御部２３０は、上記広告露出条件による結果値を含む制御命令を上記広告サーバー１２０から受信することができる。上記広告制御部２３０は、上記制御命令を変更、修正できるだけでなく、新しい制御命令を生成することもできる。
【００４６】
上記広告露出制御部２４０は、上記広告制御部２３０から上記広告露出条件による結果値を受信して、上記広告出力部２６０に上記結果値による広告出力命令を転送することができる。つまり、上記広告露出制御部２４０は、上記広告制御部２３０によって確認または修正または生成された制御命令を受信して、上記受信された制御命令によって広告出力（露出）を制御することができる広告出力命令を上記広告出力部２６０に転送することができる。
【００４７】
言い換えれば、上記広告露出制御部２４０は、上記受信された制御命令によって上記広告物保存部２５０に保存されている広告物が上記広告出力部２６０から出力されるように制御することができる。
【００４８】
この時、上記広告制御部２３０は、上記接続信号が感知された時点から上記広告の露出が始まる時点までの時間を変更できるように上記広告の露出を制御することができる。
【００４９】
つまり、上記広告制御部２３０は、上記接続信号が感知された直ちにまたは直後に上記広告を露出させるのではなく、一定時間後に上記広告を露出させることができる。
【００５０】
例えば、イヤホンがスマートフォンに接続されれば、上記広告制御部２３０は、上記接続時点から３秒後または５秒後に上記広告が露出されるように制御することができる。
【００５１】
また、上記広告制御部２３０は、上記接続信号を感知した時、上記広告が連続で露出される件数を示す広告連続露出件数を変更できるように上記広告の露出を制御することができる。
【００５２】
つまり、上記広告制御部２３０は、上記オーディオ出力装置１０１が上記デジタルデバイス１１０に接続されて上記広告が出力される時、上記広告連続出力件数を変更、制御することができる。
【００５３】
例えば、スマートフォンにイヤホンが接続されれば、上記広告制御部２３０は、１５秒前後の広告を１本だけ露出するのではなく、１本、２本、３本など、希望に応じて上記広告連続出力件数を調整することができる。
【００５４】
また、上記広告制御部２３０は、上記広告が出力された後に上記オーディオ出力装置１０１の接続が切断され、一定時間が経過した後に再接続されて上記接続信号が感知された場合、広告連続出力時間を変更できるように上記広告の露出を制御することができる。
【００５５】
ここで、上記広告連続出力時間とは、上記広告の出力が終了した時点から上記広告の再出力が始まる時点までの時間と定義されることができる。
【００５６】
例えば、ユーザーはスマートフォンにイヤホンを接続して１本の広告を聞いた後、ある程度の時間間隔をおいて再度イヤホンを差し込むことができる。ところが、上記イヤホンを差し込むたびに広告が露出されれば、顧客が拒否感を感じる可能性がある。よって、上記広告連続出力時間が１時間に設定されていれば、上記広告制御部２３０は、１度広告が露出された後１時間以内には上記イヤホンを差し込んでも上記広告が露出されないように制御することができる。
【００５７】
また、上記広告制御部２３０は、上記接続信号を感知した時、上記オーディオ出力装置１０１の接続回数または予め設定されている広告露出回数を基準にして上記広告の最大出力回数を制限するが、上記最大出力回数を変更できるように上記広告の露出を制御することができる。
【００５８】
つまり、上記広告制御部２３０は、ユーザーの拒否感を軽減するために、一定時間内（２４時間、１週、１ヶ月など）に広告物を露出できる総件数を制限するができる。例えば、２４時間に広告を３本だけ露出することができると設定すれば、上記広告制御部２３０は、イヤホンがスマートフォンに接続されても２４時間に広告が３本以上露出されないように制御することができる。
【００５９】
また、上記広告制御部２３０は、上記接続信号を感知した時、上記デジタルデバイス１１０でオーディオまたはビデオに関する特定プログラムが既に実行されている場合は、上記広告が露出されないように上記広告の露出を制御することができる。
【００６０】
つまり、上記広告制御部２３０は、スマートフォンにイヤホンを接続した時、ユーザーが頻繁に利用するオーディオ、ビデオ及び特定アプリが既に実行されている場合は、上記広告が露出されないように制御することができる。
【００６１】
ここで、上記ユーザーが頻繁に利用するオーディオ、ビデオ、特定アプリは、管理者の入力操作によりバックエンド（ｂａｃｋ−ｅｎｄ）システムに登録されることができ、これと連動して上記広告制御部２３０に保存されることができる。
【００６２】
上記広告物保存部２５０は、複数の広告物を保存する役割をする。この場合、上記広告物保存部２５０は、上記デジタルデバイス１１０の遊休時間に上記広告サーバー１２０との無線通信を通じて上記広告サーバー１２０から多数の広告物をダウンロードして保存することができる。
【００６３】
上記広告物保存部２５０は、上記ダウンロードされている多数の広告物を広告主、時間、形態、露出回数、露出優先順位などの広告露出条件に基づいて整列し、マッチング（ｍａｔｃｈｉｎｇ）して保存することができる。つまり、上記広告物保存部２５０とは、オーディオ、ビデオ、画像、テキスト、ＵＲＬ、メッセージなどの広告物が露出回数、広告対象、期間（時間）、優先順位、広告主などの広告物に対する情報と広告コンテンツ自体を保存しているデータベース（ＤＢ）を意味する。
【００６４】
上記広告出力部２６０は、上記接続信号受信部２２０によって上記接続信号が感知されれば広告を出力する役割をする。具体的に、上記広告出力部２６０は、上記広告露出制御部２４０から上記広告出力命令を受信して上記広告物保存部２５０に保存されている、上記露出する広告に該当する広告物を上記広告露出条件に応じて出力することができる。
【００６５】
この時、上記広告出力部２６０は、上記デジタルデバイス１１０で広告（デジタルコンテンツ）をディスプレイする方法によって、上記オーディオ出力装置１０１だけでなく、ビデオ出力装置、画像出力装置、テキスト／ＵＲＬ／メッセージ出力装置の中から少なくとも一つの出力装置で広告を出力することができる。
【００６６】
上記広告レポート部２７０は、上記広告出力部２６０によって出力された広告に関するレポート情報（ｒｅｐｏｒｔ  ｄａｔａ）を生成することができる。上記生成されたレポート情報は、上記広告サーバー１２０に転送されて、上記広告サーバー１２０に保存されることができる。
【００６７】
上記広告サーバー１２０は、広告物を保存管理し、広告制御情報を生産してユーザーのデジタルデバイス１１０に転送する役割を担う。この広告サーバー１２０は、一般的なモバイル広告、ウェブバーナー広告の役割と類似している。
【００６８】
広告物は、オーディオ、ビデオ、画像、テキスト、ＵＲＬ、メッセージの形態で構成されることができ、コンピュータ、携帯電話、タブレットＰＣ、ＭＰ３プレーヤーに出力される様々な形態で保管されることができる。また、広告物は、広告主、時間、形態、露出回数などによって、広告を露出するために必要な優先順位定められることができる。
【００６９】
上記広告サーバー１２０は、このような情報を上記デジタルデバイス１１０の広告物保存部２５０と広告制御部２３０に転送することができる。広告が露出された後に上記広告サーバー１２０は上記広告レポート部２７０を通じて広告の執行結果を受信して、上記広告に対するレポート情報を保存することができる。
【００７０】
上記課金処理部２８０は、上記広告レポート部２７０によって生成されたレポート情報に基づき、上記広告のプレイ時間に応じて課金することができる。
【００７１】
この時、上記課金処理部２８０は、上記広告の全体プレイ時間が予め設定された基準時間未満であれば、上記広告全体がプレイされた場合にのみ課金し、上記広告の全体プレイ時間が上記基準時間以上であれば、上記広告が予め設定された時間以上プレイされた場合にのみ課金することができる。
【００７２】
上記課金処理部２８０は、上記広告レポート部２７０によって生成されたレポート情報に基づいて、上記広告に関する広告ページ内の広告物リンク領域が選択されて、当該リンク広告が実行された時点に課金することができる。
【００７３】
ここで、上記広告物リンク領域は、イメージ、テキスト、アニメーション、動画広告物の領域を含むことができる。上記リンク広告は、広告情報を提供するウェブサイトへのアクセス、アプリケーションの実行、アプリケーション内の特定ページへのアクセス、電話の連結、アクションスクリプトの実行、テキストの露出、音響の実行、ビデオの実行などを含むことができる。
【００７４】
例えば、スマートフォンにイヤホンが接続されれば、オーディオ広告、Ｐｕｓｈ広告などの広告が露出されるが、この時、上記広告の長さが１０秒未満の場合、上記課金処理部２８０は、全体広告がプレイされた場合に課金することができる。また、上記課金処理部２８０は、上記広告が１０秒未満プレイされても、同時に到着したプッシュメッセージを見たユーザーが広告ページにアクセス試みて、当該リンクの広告が実行されれば課金することができる。
【００７５】
図３は、本発明の他の実施例によるデジタルデバイスでのオーディオ出力装置の接続信号を利用した広告システムの詳細な構成を図示したブロック図である。特に、図３は、上記広告サーバーに広告保存部が含まれている場合、つまり、データ通信を利用する場合に対する実施例を図示した図面である。
【００７６】
図３を参照すれば、本発明の他の実施例によるデジタルデバイスでのオーディオ出力装置の接続信号を利用した広告システム３００は、広告制御部２３０と広告物保存部２５０が広告サーバー１２０に含まれている点と、上記広告サーバー１２０に広告レポート保存部３１０及び課金処理部２８０が追加された点で、図２の広告システム１００と相違する。以下では、このような相違点を中心に本発明の他の実施例を説明する。
【００７７】
本発明の他の実施例は、上記デジタルデバイス１１０がリアルタイムのデータ通信が可能な状態で、広告物を上記広告サーバー１２０から直接読み取り露出することである。
【００７８】
通常、上記デジタルデバイス１１０はデータ通信が常に連結されているため、この場合は、広告物を上記デジタルデバイス１１０のローカルデータベースに蓄積することが不要で、上記広告サーバー１２０から直接呼び出しをすることができる。
【００７９】
そのため、上記広告サーバー１２０の広告制御部２３０は、上記デジタルデバイス１１０の接続信号受信部２２０から接続信号を受信する場合、広告の優先順位、広告形態、広告時間、露出回数、広告ターゲットなどの広告露出条件を確認して制御命令（広告露出条件による結果値を含む）を上記デジタルデバイス１１０の広告露出制御部２４０に転送して広告露出を行うことができる。
【００８０】
この時、上記デジタルデバイス１１０と上記広告サーバー１２０は、リアルタイムデータ通信に接続されているため、上記デジタルデバイス１１０は、上記広告露出制御部２４０を通じて上記広告サーバー１２０の広告物保存部２５０に保存されている広告物を直接呼び出すことで、リアルタイムで広告物をダウンロードして、広告を出力することができる。
【００８１】
よって、本発明の他の実施例によると、上記広告サーバー１２０から予め広告物をダウンロードして、上記デジタルデバイス１１０に保存することが不要で、上記広告サーバー１２０に保存されている広告物を直接呼び出す方法で広告を出力することができる。
【００８２】
この時、上記デジタルデバイス１１０の広告出力部２６０は、上記広告サーバー１２０から上記広告物をダウンロードする時、ユーザーの登録キャリア、利用端末、インストールされたアプリのリスト、生年月日、性別などの個人情報に基づいて上記広告物のターゲティング情報を変更することができる。
【００８３】
一方、上記デジタルデバイス１１０の広告レポート部２７０によって生成された広告のレポート情報は、上記広告サーバー１２０に転送され上記広告サーバー１２０の広告レポート保存部３１０に保存されることができる。
【００８４】
上記広告レポート保存部３１０に保存されたレポート情報は、ユーザーに課金する時の基礎資料として活用することができる。
【００８５】
つまり、上記広告サーバー１２０の課金処理部２８０は、上記レポート情報に基づき、上記広告のプレイ時間に応じて課金することができる。この時、上記課金処理部２８０は、上記広告の全体プレイ時間が予め設定された基準時間未満であれば、上記広告全体がプレイされた場合にのみ課金し、上記広告の全体プレイ時間が上記基準時間以上であれば、上記広告が予め設定された時間以上プレイされた場合にのみ課金することができる。
【００８６】
また、上記課金処理部２８０は、上記レポート情報に基づいて、上記広告に関する広告ページ内の広告物リンク領域が選択されて当該リンク広告が実行された時点に課金することができる。
【００８７】
図４は、本発明の他の実施例によるデジタルデバイスでのオーディオ出力装置の接続信号を利用した広告方法を説明するために図示したフローチャートである。
【００８８】
図２ないし図４を参照すれば、段階４１０で上記デジタルデバイス１１０の接続部２１０に上記オーディオ出力装置１０１が接続される。
【００８９】
続いて、段階４２０で上記デジタルデバイス１１０の接続信号受信部２２０は、上記オーディオ出力装置１０１が上記接続部２１０に接続されたことによって発生する接続信号を感知する。
【００９０】
続いて、段階４３０で上記デジタルデバイス１１０の広告制御部２３０は、上記接続信号受信部２２０によって感知された接続信号を受信して、露出する広告の広告露出条件による結果値を転送する。ここで、上記広告制御部２３０は、広告サーバー１２０に位置することもできる。
【００９１】
続いて、段階４４０で上記デジタルデバイス１１０の広告露出制御部２４０は、上記広告制御部２３０から上記結果値を受信して上記広告出力部２６０に上記結果値に応じた広告出力命令を転送する。
【００９２】
続いて、段階４５０で上記デジタルデバイス１１０の広告出力部２６０は、上記広告露出制御部２４０から上記広告出力命令を受信して上記広告物保存部２５０に保存されている、上記露出する広告に該当する広告物を上記広告露出条件に応じて出力する。
【００９３】
ここで、上記広告物保存部２５０は、上記デジタルデバイス１１０がデータ通信を利用するか否かによって上記デジタルデバイス１１０または上記広告サーバー１２０のうちいずれかに位置することができる。つまり、上記広告物保存部２５０は、上記デジタルデバイス１１０がデータ通信を利用しない場合は、上記デジタルデバイス１１０に位置することができるが、上記デジタルデバイス１１０がデータ通信を利用する場合は、上記広告制御部２３０とともに上記広告サーバー１２０に位置することができる。
【００９４】
上記広告物保存部２５０が上記デジタルデバイス１１０に位置する場合、上記広告物保存部２５０は上記デジタルデバイス１１０の遊休時間に上記広告サーバー１２０との無線通信を通じて上記広告サーバー１２０から広告物をダウンロードして保存することができる。その結果、上記広告出力部２６０は、上記広告物保存部２５０にダウンロードされて保存された広告物を利用して広告を出力することができる。
【００９５】
一方、上記広告物保存部２５０と上記広告制御部２３０が上記広告サーバー１２０に位置する場合、上記広告出力部２３０は上記広告制御部２３０を通じた上記広告サーバー１２０と上記広告露出制御部２４０との連動を通じて、上記広告サーバー１２０の広告物保存部２５０に保存されている広告物を直接呼出して、リアルタイムでダウンロードし、広告を出力することができる。
【００９６】
続いて、段階４６０で上記デジタルデバイス１１０の広告レポート部２７０は、上記広告出力部２６０によって出力された広告に関するレポート情報を生成して保存することができる。ここで、上記生成されたレポート情報は上記広告サーバー１２０の広告レポート保存部３１０に転送されて保存されることができる。
【００９７】
本発明の実施例は、多様なコンピュータで具現される動作を遂行するためのプログラム命令を含むコンピュータ読み取り可能媒体を含む。上記コンピュータ読み取り可能媒体は、プログラム命令、ローカルデータファイル、ローカルデータ構造などを単独または組み合わせて含むことができる。上記媒体は、本発明のために特別に設計されて構成されたもの、或はコンピュータソフトウェア当業者に公知されて使用可能になるものでもある。コンピュータ読み取り可能記録媒体の例としては、ハードディスク、フロッピー（登録商標）ディスク及び磁気テープのような磁気媒体、ＣＤ−ＲＯＭ、ＤＶＤのような光学記憶媒体、フロプティカルディスクのような磁気光学媒体、及びＲＯＭ、ＲＡＭ、フラッシュメモリーなどのようなプログラム命令を保存して遂行するために特別に構成されたハードウェア装置などがある。プログラム命令の例としては、コンパイラによる機械語コードだけでなく、インタプリタなどを使ってコンピュータによって実行される高水準言語コードなどがある。
【００９８】
これまで本発明による具体的な実施例に関して説明したが、本発明の範囲から逸脱しない範囲内では、様々な変更を加えることができるのは当然である。したがって、本発明の範囲は、説明された実施例に限られて決定されてはならず、後述する特許請求の範囲及びその特許請求の範囲と均等なものによって決定されるべきである。
【００９９】
以上のように、本発明は限られた実施例と図面によって説明されたが、本発明は上記の実施例に限定されず、本発明が属する分野において通常の知識を有する者であればこのような記載から多様な修正及び変更を加えることができる。したがって、本発明の思想は、下記特許請求の範囲のみに基づいて把握されるべきであり、これに対する均等または等価変更はいずれも本発明思想の範囲に属するというべきである。
【符号の説明】
【０１００】
１０１：オーディオ出力装置
１１０：デジタルデバイス
１２０：広告サーバー
２１０：接続部
２２０：接続信号受信部
２３０：広告制御部
２４０：広告露出制御部
２５０：広告物保存部
２６０：広告出力部
２７０：広告レポート部
２８０：課金処理部
３１０：広告レポート保存部
【図１】
2016021051.tif 000003
【図２】
2016021051.tif 000004
【図３】
2016021051.tif 000005
【図４】
2016021051.tif 000006